(57)【要約】【課題】鋼製床の上面に、床材の長孔を利用して柵などの構築物を設置する。【解決手段】踏み板に長孔が設けられ、その長孔の２つの長辺のそれぞれの縁から踏み板の裏側にリブが突出する鋼製床材１が敷設されて鋼製床Ａが形成され、この鋼製床Ａの上面に設置される構築物２０の支持構造であって、前記構築物２０を支持するベース４０、４１を鋼製床材１に固定するベース固定用組金具が、鋼製床材１の長孔のリブに係合するリブ係合金具と、このリブ係合金具とベースを連結するボルトを備え、前記鋼製床Ａの上面に配置したベース４０、４１と、リブに係合させたリブ係合金具とがボルトで連結されている。【選択図】図１
2020070682.tif 000002
【特許請求の範囲】
【請求項１】
踏み板に長孔が設けられ、その長孔の２つの長辺のそれぞれの縁から踏み板の裏側にリブが突出する鋼製床材が敷設されて鋼製床が形成され、この鋼製床の上面に設置される構築物の支持構造であって、
前記構築物を支持するベースを鋼製床材に固定するベース固定用組金具が、鋼製床材の長孔のリブに係合するリブ係合金具と、このリブ係合金具とベースを連結するボルトを備え、
前記鋼製床の上面に配置したベースと、リブに係合させたリブ係合金具とがボルトで連結されていることを特徴とする鋼製床における構築物の支持構造。
【請求項２】
前記鋼製床材のリブに踏み板の長孔の長辺に沿って延びるスリット状の差込孔が形成され、
前記ベース固定用組金具のリブ係合金具が、長手方向の寸法が前記踏み板の長孔の長手方向の開口寸法よりも小さくかつ前記長孔の短手方向の開口寸法よりも大きく、短手方向の寸法が前記踏み板の長孔の短手方向の開口寸法よりも小さく形成された差込板であり、
前記差込板を踏み板と平行な平面内で回転させることにより、両端部がリブの差込孔に挿入されている請求項１に記載の鋼製床における構築物の支持構造。
【請求項３】
前記ベース固定用金具が、さらに、差込板の逆回転を阻止してリブへの係合姿勢を保持する外れ防止金具を備えている請求項２に記載の鋼製床における構築物の支持構造。
【請求項４】
前記ベース固定用金具のリブ係合金具が、リブの下端部が嵌合する溝を有している請求項１に記載の鋼製床における構築物の支持構造。
【請求項５】
前記ベースは、長孔から挿入されて鋼製床材の裏側に入り込んで裏面に係合される支持片を有している請求項１〜４のいずれか１項に記載の鋼製床における構築物の支持構造。
【請求項６】
前記構築物が、前記ベースに支持されて鋼製床に立設される複数本の支柱と、隣接する支柱を連結する横桟とを備えている請求項１〜５のいずれか１項に記載の鋼製床における構築物の支持構造。
【請求項７】
前記構築物が、さらに、前記支柱に挿入されて横桟が貫通するインサート材と、前記横桟を支柱およびインサート材に固定するボルトとを備え、
前記支柱が横桟を貫入させる挿入口を有し、
前記インサート材が、前記支柱の挿入口に連通して横桟を貫入させる挿入口を有する第１辺部と、前記第１辺部の一端から屈曲して前記ボルトによって支柱に係合される第２辺部と、前記第１辺部の他端から屈曲する第３辺部と、前記第３辺部から屈曲して第１辺部に対向し、第１辺部の第３辺部側端部から挿入口の縁までの寸法に形成された第４辺部とが一体に結合してなり、
前記支柱およびインサート材の第２辺部を貫通するボルトが、前記支柱の挿入口およびインサート材の挿入口に貫入された横桟を、支柱の挿入口の縁、インサート材の挿入口の縁および第４辺部の先端部に押し付けることによって横桟が支柱に固定されている請求項６に記載の鋼製床における構築物の支持構造。
【発明の詳細な説明】
【技術分野】
【０００１】
本発明は、鋼製床材を敷設して形成した鋼製床の上面に柵等の構築物を設置する際の構築物の支持構造およびその関連技術に関する。
【背景技術】
【０００２】
特許文献１、２に、複数の鋼製床材を梁材上に固定して形成された鋼製床が記載されている。これらの文献は鋼製床材を梁材に固定する際に、踏み板の長孔から固定用金具を差し込んで床材を固定する固定構造を開示している。これらの固定構造は床面から梁材への固定作業を行うことができるので作業負担が少ない。
【先行技術文献】
【特許文献】
【０００３】
【特許文献１】特開２０１７−２０６８３３
【特許文献２】特開２０１１−１８４８６２
【発明の概要】
【発明が解決しようとする課題】
【０００４】
上記の鋼製床の床面に柵等の構築物を設置することがある。構築物の設置においても、鋼製床材の梁材への固定作業と同様に、設置の作業負担が少ない構築物の支持構造が求められている。
【課題を解決するための手段】
【０００５】
本発明は、上述した背景技術に鑑み、鋼製床材の形状的特徴を活かして床面に構築物を支持する構造を提供することを目的とする。
【０００６】
即ち、本発明は下記［１］〜［７］に記載の構成を有する。
【０００７】
［１］踏み板に長孔が設けられ、その長孔の２つの長辺のそれぞれの縁から踏み板の裏側にリブが突出する鋼製床材が敷設されて鋼製床が形成され、この鋼製床の上面に設置される構築物の支持構造であって、
前記構築物を支持するベースを鋼製床材に固定するベース固定用組金具が、鋼製床材の長孔のリブに係合するリブ係合金具と、このリブ係合金具とベースを連結するボルトを備え、
前記鋼製床の上面に配置したベースと、リブに係合させたリブ係合金具とがボルトで連結されていることを特徴とする鋼製床における構築物の支持構造。
【０００８】
［２］前記鋼製床材のリブに踏み板の長孔の長辺に沿って延びるスリット状の差込孔が形成され、
前記ベース固定用組金具のリブ係合金具が、長手方向の寸法が前記踏み板の長孔の長手方向の開口寸法よりも小さくかつ前記長孔の短手方向の開口寸法よりも大きく、短手方向の寸法が前記踏み板の長孔の短手方向の開口寸法よりも小さく形成された差込板であり、
前記差込板を踏み板と平行な平面内で回転させることにより、両端部がリブの差込孔に挿入されている前項１に記載の鋼製床における構築物の支持構造。
【０００９】
［３］前記ベース固定用金具が、さらに、差込板の逆回転を阻止してリブへの係合姿勢を保持する外れ防止金具を備えている前項２に記載の鋼製床における構築物の支持構造。
【００１０】
［４］前記ベース固定用金具のリブ係合金具が、リブの下端部が嵌合する溝を有している前項１に記載の鋼製床における構築物の支持構造。
【００１１】
［５］前記ベースは、長孔から挿入されて鋼製床材の裏側に入り込んで裏面に係合される支持片を有している前項１〜４のいずれか１項に記載の鋼製床における構築物の支持構造。
【００１２】
［６］前記構築物が、前記ベースに支持されて鋼製床に立設される複数本の支柱と、隣接する支柱を連結する横桟とを備えている前項１〜５のいずれか１項に記載の鋼製床における構築物の支持構造。
【００１３】
［７］前記構築物が、さらに、前記支柱に挿入されて横桟が貫通するインサート材と、前記横桟を支柱およびインサート材に固定するボルトとを備え、
前記支柱が横桟を貫入させる挿入口を有し、
前記インサート材が、前記支柱の挿入口に連通して横桟を貫入させる挿入口を有する第１辺部と、前記第１辺部の一端から屈曲して前記ボルトによって支柱に係合される第２辺部と、前記第１辺部の他端から屈曲する第３辺部と、前記第３辺部から屈曲して第１辺部に対向し、第１辺部の第３辺部側端部から挿入口の縁までの寸法に形成された第４辺部とが一体に結合してなり、
前記支柱およびインサート材の第２辺部を貫通するボルトが、前記支柱の挿入口およびインサート材の挿入口に貫入された横桟を、支柱の挿入口の縁、インサート材の挿入口の縁および第４辺部の先端部に押し付けることによって横桟が支柱に固定されている前項６に記載の鋼製床における構築物の支持構造。
【発明の効果】
【００１４】
上記［１］に記載の発明によれば、構築物を支持するベースを鋼製床材の踏み板のリブに係合するリブ係合金具とボルトを用いて固定するので、鋼製床材に加工をする必要がなく、構築物の設置作業および撤去作業が容易である。また、長孔とリブがあればベースを固定できるので、床面の任意の位置に構築物を設置することができる。
【００１５】
上記［２］に記載の発明によれば、鋼製床材のリブに差込孔が形成され、リブ係合金具である差込板を床面から差し入れて回転させるだけリブに係合することができる。
【００１６】
上記［３］に記載の発明によれば、外れ防止金具によって差込板の逆回転が阻止されてリブへの係合姿勢が保持されるので、ボルトを締め込む際の共回りを防ぐことができる。
【００１７】
上記［４］に記載の発明は、リブ係合金具の溝にリブの下端部を嵌合させることによってリブと係合する。従って、差込孔のないリブを有する鋼製床材に対してもベースを固定できる。
【００１８】
上記［５］に記載の発明によれば、ベースの支持片が鋼製床材の裏面に係合されることにより、鋼製床の上面に配置したベースをボルトで固定する際の位置ずれを防ぐことができる。また、固定後においては、支持片が鋼製床材に係合されていることによりベースおよび構築物の固定安定性を高めることができる。
【００１９】
上記［６］に記載の発明によれば、鋼製床の支柱と横桟による柵を設置するに際し、上記の効果を得ることができる。
【００２０】
上記［７］に記載の発明によれば、横桟が支柱とインサート材の両方に係合するのでしっかりと連結することができ、かつインサート材が支柱に挿入されることで支柱が補強される。
【図面の簡単な説明】
【００２１】
【図１】柵を設置した鋼製床の全体斜視図である。
【図２】鋼製床材の要部斜視図である。
【図３】長手方向用ベースの斜視図である。
【図４】幅方向用ベースの斜視図である。
【図５】ベース固定用金具の分解斜視図である。
【図６】３つのベース固定用金具を取り付けた鋼製床材の要部斜視図である。
【図７Ａ】ベースを取り付けた鋼製床材の要部斜視図である。
【図７Ｂ】図７Ａにおける７Ｂ−７Ｂ線断面図である。
【図７Ｃ】図７Ａにおける７Ｃ−７Ｃ線断面図である。
【図８】ベース、支柱、インサート材の分解斜視図である。
【図９Ａ】図８の組み立て状態における９Ａ−９Ａ線断面図である。
【図９Ｂ】図８の組み立て状態における９Ｂ−９Ｂ線断面図である。
【図１０】支柱に横桟を固定した状態を示す断面図である。
【図１１】ベースの他の例を示す斜視図である。
【図１２】ベースのさらに他の例を示す斜視図である。
【図１３】リブ係合金具の他の例である。
【図１４】図１３のリブ係合具の使用状態を示す断面図である。
【図１５】外れ止め金具の他の例を示す斜視図である。
【発明を実施するための形態】
【００２２】
図面を参照しつつ、本発明の一実施形態として、鋼製床Ａ、鋼製床Ａの床面に設置する構築物、構築物を設置するための各種部材について詳述する。前記構築物は、鋼製床Ａの上面の縁部に立設した複数本の支柱２０とこれらの支柱２０の間を横桟３０で連結した柵である。
【００２３】
以下の説明において、同じ符号付したものは同一物または同等物であり、重複する説明を省略する。
［鋼製床］
図１に示すように、鋼製床Ａは、梁材２上に梁材２と直交する方向に複数個の鋼製床材１を架け渡して隙間なく並べて梁材２に固定することにより形成されている。前記鋼製床材１は鋼等の高強度材料で構成されている。
【００２４】
図２に示すように、前記鋼製床材１は、踏み板１０の幅方向の両端にリップ部付フランジ１４を有する鋼製Ｃ形チャンネル材で構成され、踏み板１０には、踏み板１０の幅方向に延びる複数の長孔１１が長さ方向に沿って横列して設けられている。また、前記フランジ１４には長孔１１と同じ間隔で長穴１５が穿たれている。これらの長穴１５は隣接する鋼製床材１の連結や構築物の支持に使用するボルトの通し穴として用いられる。
【００２５】
また、前記長孔１１の２つの長辺の縁からそれぞれ踏み板１０の裏側に突出するリブ１２ａ、１２ｂが向かい合って形成されている。対をなすリブ１２ａ、１２ｂは、それぞれに後述するベース固定用金具５０を係合するための３個のスリット状の差込孔１３ａ、１３ｂが長孔１１の長辺に沿って縦列して穿設されている。向かい合う位置の差込孔１３ａ、１３ｂは対をなし、３対いずれの差込孔１３ａ、１３ｂにもベース固定用金具５０を係合することができる。即ち、ベース固定用金具５０は１つの長孔１１は３カ所のうちの任意の位置に係合することができる。
【００２６】
前記長孔１１の長さ、即ち長孔１１の長手方向の開口寸法はＰ１であり、長孔１１の幅、即ち短手方向の開口寸法はＰ２である。また、前記差込孔１３ａ、１３ｂの幅、即ち差込孔１３ａ、１３ｂの短手方向の開口寸法はＰ３である。
【００２７】
前記鋼製床Ａの上面の端部に、間隔をあけて複数本の支柱２０が立設され、隣接する支柱２０が３本の横桟３０によって連結された柵が設置されている。前記支柱２０は、ベース固定用金具５０を用いて鋼製床Ａに固定されたベース４０、４１に連結され、ベース４０、４１を介して鋼製床Ａの上面に支持されて設置されている。
［ベースおよびベース固定用金具］
図３、４に前記支柱２０を連結して支持するためのベース４０、４１を示し、図５に前記ベース４０、４１を鋼製床Ａに固定するためのベース固定用組金具５０を示す。
【００２８】
前記ベース４０、４１は金属板の曲げ加工品であり、鋼製床材１の長手方向の辺、即ち踏み板１０とフランジ１４のコーナー部に取り付けるものと、幅方向の辺、即ち踏み板１０と小口（符号なし）のコーナー部に取り付けるものの２種類がある。以下の説明において、「長手方向用ベース４０」、「幅方向用ベース４１」と称し、あるいはベース４０、４１と略称する。
【００２９】
長手方向用ベース４０は、鋼製床材１の上面に配置される長方形の本体部４２と、前記本体部４２の一方の長辺から下側に屈曲延設されて鋼製床材１のフランジ１４に重なる側板部４３と、前記本体部４２の２つの短辺から下面側に屈曲して延設されたＬ字形の支持片４４とが一体に形成されている。前記支持片４４は鋼製床材１の裏面に係合して、長手方向用ベース４０の鋼製床材１からの離脱を防止する。前記本体部４２の側板部４３とのコーナー部近くに支柱２０を連結するための係合用凸部４５が立設され、前記コーナー部の反対側にベース固定用金具５０を連結するための３つのボルト通し穴４６が穿設されている。これらのボルト通し穴４６の間隔は鋼製床材１の長孔１１の間隔に等しい。前記係合用凸部４５は角Ｕ字形のチャンネル材からなり、チャンネル材のウエブ４５ａに２つのねじ穴４７が形成され、チャンネル材の開口部がコーナー部側にウエブ４５ａがその反対側に向くように配置されている。前記側板部４３には鋼製床材１のフランジ１４に穿設された長穴１５に連通するボルト通し穴４８が穿設されている。
【００３０】
幅方向用ベース４１は、本体部４２の係合用凸部４５の両脇、即ちチャンネル材の両フランジ４５ｂの傍らにそれぞれ２つのボルト穴通し４６が長孔１１に等しい間隔で穿設されている。前記本体部４２の一方の長辺から下面側に屈曲して側板部４３が延設され、前記本体部４２の側板部４３に対向する辺には、Ｌ字形に屈曲する２つの支持片４４が延設されている。
【００３１】
前記ベース固定用金具５０は、リブ１２ａ、１２ｂに係合させる差込板５１と、差込板差込板５１のリブ１２ａ、１２ｂに対する係合姿勢を保持する外れ防止金具５３と、差込板５１と前記ベースを連結するボルト５２とを備えている。
【００３２】
前記差込板５１は、概略長円形の金属板からなり、上面の中央にボルト５２が溶接されている。前記差込板５１は、長手方向の寸法Ｑ１が鋼製床材１の長孔１１の長手方向の開口寸法Ｐ１より小さくかつ短手方向の開口寸法Ｐ２よりも大きく、短手方向の寸法Ｑ２が短手方向の開口寸法Ｐ２よりも小さく、厚みＱ３がリブ１２ａ、１２ｂの差込孔１３ａ、１３ｂの短手方向の開口寸法Ｐ３よりも小さい。従って、前記ボルト５２を摘まんで差込板５１を鋼製床材１の上面から長孔１１に差し入れ、踏み板１０と平行な平面内で回転させると両端部がリブ１２ａ、１２ｂの差込孔１３ａ、１３ｂに挿入されてリブ１２ａ、１２ｂに係合される。
【００３３】
前記差込板５１は本発明のリブ係合金具に対応する。図示例では差込板５１とボルト５２とが溶接された一体物であるが、これらを別体にして、差込板に穴を穿設し、この穴にボルトを係合するようにしてもよい。
【００３４】
前記外れ防止金具５３は長孔１１の短手方向の開口寸法Ｐ２よりも若干幅の狭い帯状金属板の長手方向の両端部を逆方向に曲げ加工された金具であり、前記ベース４０、４１との組み付け姿勢において、一端部５４が前記差込板５１の上面に当接し、他端部５５が鋼製床材１のフランジ１４の内側面に当接する。前記一端部５４に前記ボルト５２を通す穴５６が穿設され、他端部５５に鋼製床材１のフランジ１４の長穴１５に連通する穴５７が穿設されている。
［ベースの固定］
以下に、図５〜図７Ｃを参照しつつ、長手方向用ベース４０を鋼製床材１に固定する手順を説明する。
（１）ベース固定用金具５０は、ボルト５２の端部を摘まんで鋼製床材１の上面から長孔１１に差込板５１を差し入れ、回転させてリブ１２ａ、１２ｂの差込孔１３ａ、１３ｂに挿入して係合させる。前記ボルト５２は先端部が鋼製床材１の上面から突出している。
（２）外れ防止金具５３の一端部５４の穴５６にボルト５２を差し込みながら、他端部５５側を長孔１１に挿入する。前記外れ防止金具５３の一端部５４および他端部５５の曲げ角度により、一端部５４が差込板５１の上面に当接し、他端部５５がフランジ１４の内面に当接する。
（３）前記差込板５１は外れ止め金具５３の裏面に接触しているので両端部が差込孔１３ａ、１３ｂに挿入された係合姿勢が保持されている。
（４）前記長手方向用ベース４０の３つのボルト通し穴４６の位置に対応する３つの長孔１１に対して（１）〜（３）を行う。本例では、連続する３つの長孔１１にベース固定用金具５０を取り付ける（図６参照）。
（５）前記長手方向用ベース４０の一方の支持片４４を鋼製床材１の長孔１１に挿入し、先端部を一方のリブ１２ａまたは１２ｂの下に差込み、前記長手方向用ベース４０をスライドさせながら鋼製床材１の上面から突出しているボルト５２をボルト通し穴４６に通し、他方の支持片４４を長孔１１に挿入し、先端部を他方のリブ１２ｂまたは１２ａの下に差込む。また、側板部４３をフランジ１４の外面に沿わせてボルト通し穴５６をフランジ１４の長穴１５および外れ防止金具５３の穴５７に合わせる（図７Ａ、図７Ｂ参照）。
（６）前記ボルト５２にナット５８を取り付けて締め付ける。このとき、外れ防止金具５３が差込板５１に接触しているので、差込板５１の共回りを阻止して差込孔１３ａ、１３ｂからの抜け落ちを防ぎ、差込板５１のリブ１２ａ、１２ｂに対する係合姿勢が保持される（図７Ａ、図７Ｃ参照）。
（７）鋼製床材１の側面において、ベース４０のボルト通し穴４８、鋼製床材１の長穴１５、外れ防止金具５３の穴５７にボルト５９を装着して締め込む（図７Ａ、図７Ｂ、図７Ｃ参照）。
【００３５】
以上より、鋼製床材１に長手方向用ベース４０が固定される。
【００３６】
幅方向用ベース４１も、前記固定用金具５０を用いて、長手方向用ベース４０と同様の手順で鋼製床材１の上面に固定する。ただし、幅方向用ベース４１の側板部４３６は鋼製床材１のフランジ１４に当接しないので、外れ防止金具５３はフランジ１４のみに固定される。
【００３７】
前記差込板５１は床面から長孔１１に差し入れて回転させるだけでリブ１２ａ、１２ｂの差込孔１３ａ、１３ｂに挿入できるので、差込板５１のリブ１２ａ、１２ｂへの係合は簡単である。また、外れ防止金具５３を取り外して差込板５１を逆回転させればリブ１２ａ、１２ｂへの係合が簡単に解除される。
［構築物の設置］
図８に、前記ベース４０、４１に支持される支柱２０およびインサート材６０を示す。なお、図８は長手方向用ベース４０を記載しているが、幅方向用ベース４１が支持する支柱２０およびインサート材６０材は長手方向用ベース４０と共通である。
【００３８】
前記支柱２０は、断面略四角形でリップ部付フランジ２１を有するＣチャンネル材で構成され、対向する２つのフランジ２１に断面四角形の中空材からなる横桟３０を挿入する四角形の挿入口２２が穿設されている。前記挿入口２２は長さ方向に間隔をおいて３箇所に設けられている。また、両フランジ２１を繋ぐウエブ２３には、挿入口２２と同じ高さの３箇所に横桟３０を固定するためのボルトを通す穴２４が形成され、下方部に前記ベース４０、４１に固定するためのボルトを通す２つの穴２５が形成されている。
【００３９】
前記支柱２０内にインサート材が６０が挿入され、横桟３０は支柱２０およびインサート材６０に係合されている。前記インサート材６０材は断面略四角形の棒状材であり、前記支柱２０のフランジ２１に平行な第１辺部６１に支柱２０の挿入口２２に連通する四角形の挿入口６２が穿設されている。前記第１辺部６１の一端から屈曲する第２辺部６３は支柱２０のウエブ２３に内接し、穴２４に連通するねじ穴６４が形成されている。また、前記第２辺部６３は、幅がウエブ２３の幅よりも小さく、下端からベース４０、４１の係合用凸部４５の高さに対応する位置までの部分に切欠部６３ａが形成されている。前記第１辺部６１の他端から屈曲する第３辺部６５は、幅が第２辺部６３と同寸であり、支柱２０の両フランジ２１のリップ部２１ａ間に嵌合されている（図９Ａ参照）。前記第３辺部６５の端部から屈曲する第４辺部６６は対向する第１辺部６１の第３辺部６４側端部から挿入口６２の縁までの寸法に等しく、横桟３０の挿入口６２への挿入を阻害しない寸法に設定されている。
【００４０】
前記支柱２０および横桟６０は以下の手順で鋼製床Ａに固定する。
（１）長手方向用ベース４０を鋼製床材１に固定する。
（２）長手方向用ベース４０の係合用凸部４５に支柱２０を被せると、支柱２０のウエブ２３と係合用凸部４５のウエブ４５が重なり穴２５とねじ穴４７が連通する。前記穴２５とねじ穴４７にボルト２６を挿入して締め込み、支柱２０を係合用凸部４５に固定する。
（３）長手方向用ベース４０に固定した支柱２０にインサート材６０を挿入する。上述した支柱２０およびインサート材６０の寸法関係により、支柱２０のフランジ２１とインサート材６０の第１辺部６１および第４辺部６５との間に隙間が生じ、この隙間に長手方向用ベース４０の係合用凸部２３のフランジ４５ｂが配置されている。また、前記インサート材６０の第２辺部６３の切欠部６３ａが係合用凸部４５のウエブ４５ａに係合される（図９Ａ参照）。
（４）上記（３）により、支柱２０の挿入口２２とインサート材６０の挿入口６２が連通し、穴２４とねじ穴６４が連通している。連通した挿入口２２、６２に横桟３０を通し、前記穴２４とねじ穴６４にボルト２７を挿入して締め込み、横桟３０を支柱２０に固定する。図９Ｂに示すように、前記ボルト２７を締め込んでいくと、ボルト２７の先端が横桟３０をインサート材６０の第３辺部６５側に押し付け、横桟３０はボルト２７の先端と、支柱４０およびインサート材６０の挿入口２２、６２の縁部および第４辺部６６の先端によって強く挟み付けられて強く固定される（図１０参照）。
（５）同様の方法で、鋼製床材１に固定した幅方向用ベース４１に支柱２０およびインサート材６０を連結し、横桟３０を取り付ける。
【００４１】
なお、図１の構築物は、鋼製床Ａのコーナー部において、鋼製床材１の長手方向および幅方向から出会った横桟３０をＬ字形ジョイント３１で連結している。
【００４２】
上述した構築物の支持構造においては、構築物を支持するベースを鋼製床材の踏み板のリブに係合するリブ係合金具とボルトを用いて固定するので、鋼製床材に加工をする必要がなく、構築物の設置作業および撤去作業が容易である。長孔とリブがあればベースを固定できるので、床面の任意の位置に構築物を設置することができる。
［他のベース］
構築物は鋼製床の端部に設置した例であるが、本願のベースは鋼製床材の長孔のリブを利用して固定するものであるから、床面中央部の長孔を利用してベースを固定すれば中央部に構築物を設置することができる。
【００４３】
図１１のベース７０は、係合用凸部４５を立設する本体部７１にベース固定用金具を係合するボルト通し穴４６を穿設し、本体部７１の対向する２辺からＬ字形の支持片７２を延設したものである。床面の端部から離れた位置に取り付けるベース７０であるから側板部を持たない。
【００４４】
鋼製床Ａの端部に固定するベースが側板部を備えていることは必須要件ではなく、図１１の側板部を持たないベース７０を用いることもできる。ただし、支柱等の構築物を床面の端部に設置する場合は、係合用凸部を本体部の端部に配置することが好ましいので、本体部から側板部を延設して固定安定性を高めることが好ましい。
【００４５】
また、前記ベース４０、４１、７０の支持片４４、７２は鋼製床材１のリブ１２ａ、１２ｂの下に入り込んでリブ１２ａ、１２ｂに係合させているが、鋼製床材１の裏面の他の部位に入り込ませて係合させるようにしてもよい。図１２のベース７５は長い支持片７６を有しており、鋼製床材１のフランジ１４のリップ部の下に入り込んで係合させることができる。また側板部７７の先端部分が外側に屈曲しており、この屈曲部分７７ａを梁材２に当接させることで固定安定性を高める効果がある。
【００４６】
上述したベース４０、４１、７０、７５は、支持片４４、７２、７６を長孔１１に挿入してリブ１２ａ、１２ｂやフランジ１４のリップ部の下に入り込ませ、これらに係合させることにより、ベース４０、４１、７０、７５を鋼製床材１に支持させている。このように、支持片４４、７２、７６を鋼製床材１の裏面に係合させることにより、鋼製床Ａに配置したベース４０、４１、７０、７５の位置ずれを防いで、ボルトやナットによる固定作業を安定して行うことができる。また、固定後においてもベース４０、４１、７０、７５および構築物の固定安定性を高める効果がある。
【００４７】
本発明において、ベースによって支持する構築物は支柱に限定されず、係合用凸部の形状や連結方法も構築物の形状に応じて適宜変更することができる。また、上述したインサート材６０を用いることにより、横桟３０が支柱２０とインサート材６０の両方に係合するのでしっかりと連結することができ、かつインサート材６０が支柱２０に挿入されることで支柱２０が補強される。また、横桟３０の連結作業は、支柱２０にインサート材６０を挿入する、横桟３０を貫入する、ボルト２７を締める、という簡単な作業であり、連結後に支柱２０の外面に露出するのはボルト２６の頭だけであるからすっきりとした外観となる。なお、本発明は支柱と横桟の連結構造を限定するものではない。
［他のベース固定用金具］
本発明はリブに差込孔を設けられていない鋼製床材にも適用できる。図１３はリブ１２ａ、１２ｂの下端に係合するリブ係合金具８０であり、差込孔の有無に関係なくリブ１２ａ、１２ｂに係合させることができる。前記リブ係合金具８０は角形Ｕ字形のチャンネル材であり、ウエブ８１の中心にねじ穴８２が形成され、このねじ穴８２の両側にフランジ８３ａに達する溝８４が形成されている。前記リブ係合金具８０は、長手方向の寸法Ｒ１が長孔１１の長手方向に開口寸法Ｐ１より小さく短手方向の寸法Ｐ２よりも大きく設定され、短手方向の寸法Ｒ２は長孔１１の短手方向の開口寸法Ｐ２よりも小さく設定されている。また、２つの溝８４の間隔はリブ１２ａ、１２ｂ間の寸法に等しい。
【００４８】
ベース固定用金具９は前記リブ係合金具８０とボルト９１とにより構成され、以下の手順でベース４０を固定する。
【００４９】
前記ベース４０の３つのボルト通し穴４６にそれぞれボルト９１を通し、ボルト９１の先端部をリブ係合金具８０のねじ穴８２に係合させて両者を緩く連結し、３つのリブ係合金具８０は長手方向を長孔１１の長手方向に合わせておく。次に、前記ベース４０を鋼製床材１の上面に配置するとともにリブ係合金具８０を鋼製床材１の長孔１１からリブ１２ａ、１２ｂの下端よりも下方に差し入れ、ボルト９１とともにリブ係合金具８０を回転させて溝８４とリブ１２ａ、１２ｂの位置合わせをし、ボルト９１を締め込む。十分に締め込むことにより、リブ１２ａ、１２ｂの下端部がリブ係合金具８０の溝８４に強く係合してベース４０が固定される（図１４参照）。また、ボルト９１の締め込みはリブ１２ａ、１２ｂが溝８４に緩くかみ合った状態で行うので、リブ係合金具８０の共回りは起こらない。
【００５０】
また、図１３のリブ係合金具８０を用いる場合は、予めボルト９１でベース４０にリブ係合金具８０を取り付けておき、リブ係合金具８０とベース４０の支持片４４を長孔１１に挿通させる必要がある。このとき、前記リブ係合金具８０はベース４０の裏面に当接する程度に近づけて組み付けておいてもよい。そして、ベース４０を斜めにして一方の支持片４４から順次長孔１１に挿通させてベース４０およびリブ係合金具８０をセットする。この状態ではリブ係合金具８０は長孔１１のリブ１２ａ、１２ｂに当たって回転できないので、ボルト９１を緩めてリブ係合金具８０をリブ１２ａ、１２ｂよりも下方に下ろしてから回転させ、リブ１２ａ、１２ｂと溝８４の位置合わせをしてボルト９１を締め込む。
【００５１】
また、図５等の差込板５１をリブ１２ａ、１２ｂの差込孔１３ａ、１３ｂに係合させるタイプのベース固定用金具５０において、外れ防止金具５３は任意に使用する部材である。ボルト５２を押さえながらナット５８を回すといった方法でも共回りと脱落を防止することができる。図５等の外れ防止金具５３は、差込板５１に係合して共回りを阻止するだけでなく、鋼製床材１に止めることによってベース４０、４１の固定安定性を高める効果がある。また、外れ防止金具の形状は限定されず、他に図１５の逆角Ｕ字形の外れ防止金具９５を例示できる。前記外れ防止金具９５は長孔１１に嵌まり込む寸法に設定され、差込孔１３ａ、１３ｂに挿入した差込板５１を跨ぐように配置することにより、差込板５１の共回りを防ぐことができる。さらに、外れ防止金具９５が差込板５１とベース４０の間の空間を埋めることで差込板５１およびベース４０の変形を防止する効果が得られる。
【００５２】
また、一つのベースの固定に複数種のベース固定用金具を使用することもできる。図５の外れ防止金具５３は他端部５５を鋼製床材１のフランジ１４の長穴１５を利用してフランジ１４に固定する構造であるから、長穴１５が形成された鋼製床材１であり、さらに長穴１５を外れ防止金具５３の固定に使用できる場合に限定されるが、図１５の外れ防止金具９５は長孔１１内で差込板５１にのみ係合されるのでそのような制限はない。
【産業上の利用可能性】
【００５３】
本発明は鋼製床の床面における各種構築物の設置に利用できる。
【符号の説明】
【００５４】
Ａ鋼製床
１…鋼製床材
１０…踏み板
１１…長孔
１２ａ、１２ｂ…リブ
１３ａ、１３ｂ…差込孔
２０支柱
２２挿入口
３０横桟
３１Ｌ形ジョイント
４０、４１、７０、７５ベース
４２本体部
４３側板部
４４、７２、７６支持片
４５係合用凸部
５０、９０ベース固定用金具
５１差込板（リブ係合金具）
５２ボルト
５３、９５外れ防止金具
６０インサート材
６１第１辺部
６２挿入口
６３第２辺部
６４ねじ穴
６５第３辺部
６６第４辺部
８０リブ係合金具
８４溝
【図１】
2020070682.tif 000003
【図２】
2020070682.tif 000004
【図３】
2020070682.tif 000005
【図４】
2020070682.tif 000006
【図５】
2020070682.tif 000007
【図６】
2020070682.tif 000008
【図７Ａ】
2020070682.tif 000009
【図７Ｂ】
2020070682.tif 000010
【図７Ｃ】
2020070682.tif 000011
【図８】
2020070682.tif 000012
【図９Ａ】
2020070682.tif 000013
【図９Ｂ】
2020070682.tif 000014
【図１０】
2020070682.tif 000015
【図１１】
2020070682.tif 000016
【図１２】
2020070682.tif 000017
【図１３】
2020070682.tif 000018
【図１４】
2020070682.tif 000019
【図１５】
2020070682.tif 000020